(57)【要約】【課題】横側や斜め手前側から眺めた場合であっても、飾り棚のフレームや内部空間が視認されることを防止した、飾り棚の横面カバー及びその横面カバーを備えた飾り棚を提供する。【解決手段】磁性体８が吸着可能な構造材２，３で階段状に形成された飾り棚１の横面を覆うカバー６であって、そのカバー６は、前記飾り棚１の横面を覆う形状を有し、飾り棚の構造材２，３に接する領域には磁性体８を備えたことを特徴とする飾り棚１の横面カバーとした。【選択図】図１
2007125114.tif 000002
【特許請求の範囲】
【請求項１】
磁性体が吸着可能な構造材で階段状に形成された飾り棚の横面を覆うカバーであって、
そのカバーは、前記飾り棚の横面を覆う形状を有し、
飾り棚の構造材に接する領域には磁性体を備えた
ことを特徴とする飾り棚の横面カバー。
【請求項２】
磁性体が吸着可能な構造材で階段状に形成された飾り棚の横面を覆うカバーであって、
そのカバーは、複数枚が接合されて、前記飾り棚の横面を覆う形状を有し、
前記接合された接合線を被覆するポケット部を備えた
ことを特徴とする飾り棚の横面カバー。
【請求項３】
ポケット部は、透明な材質である
ことを特徴とする請求項２に記載の飾り棚の横面カバー。
【請求項４】
飾り棚の構造材に接する領域には磁性体を備えた
ことを特徴とする請求項２または３に記載の飾り棚の横面カバー。
【請求項５】
請求項１乃至請求項４に記載の横面カバーを左右の横面に備えたことを特徴とする飾り棚。
【請求項６】
雛壇であることを特徴とする請求項５に記載の飾り棚。
【発明の詳細な説明】
【技術分野】
【０００１】
本発明は、飾り棚の横面をカバーして、飾り棚の外方から飾り棚のフレームや内部空間が視認されることを防止する技術に関する。
【背景技術】
【０００２】
階段状に構成された飾り棚、特に雛人形を飾る雛壇では、古くから一般的に、手前側から奥側へと高く形成して階段状に組んだフレームの各上端部に天板を渡した構成となっている。また、古くは木製のフレームを採用していたが、近年では、例えば図１２に示すようなスチール製のフレーム２，３と天板４を採用して、分解して収納するときの省スペース化や耐久性の向上を図った雛壇も販売されている。
【０００３】
そして、雛壇のフレームに雛人形を飾り付ける場合には、図１３に示すように、毛せんと称する華やかな色で織られた長布（以下、毛せんという）を雛壇の奥側から手前側へと掛け渡し、雛壇のフレームや内部空間が手前側及び上側から視認されないようにして、その毛せんの上から雛人形や雛飾りを飾付けている。
そのような一般的な雛壇の構造及び飾付けについては、インターネットのＷｅｂページ上でも開示されている。
【非特許文献１】"久宝堂"、"雛人形の飾付け（ご準備）〜人形の久宝堂［大阪・松屋町］"［online］、２００５年１０月２６日、[平成１７年１０月１６日]、インターネット、＜URL：http://www.kyuhodo.co.jp/hina/kazari1.htm＞
【発明の開示】
【発明が解決しようとする課題】
【０００４】
しかし、非特許文献１に開示されているような従来の雛壇では、前記毛せん５によって、手前側及び上側から雛壇１のフレーム２，３や内部空間１ａが視認されることを防ぐことができるが、前記毛せん５は、長布であるので、雛壇１の横面を覆い隠すことはできなかった。
そして、雛人形や雛飾りを華やか飾り付けた場合であっても、雛壇１の横側や斜め手前側から飾付けを眺めた場合には、雛壇１のフレームや内部空間１ａが視認されて、甚だ興醒めな状態となってしまう。また、そのような状態は美観上、大変好ましからざる問題であるにもかかわらず、伝統的な飾付けであるが故に、長年の間放置されていた経緯がある。
【０００５】
本発明の目的は、そのような不都合を一掃し、横側や斜め手前側から眺めた場合であっても、飾り棚のフレームや内部空間が視認されることを防止した、飾り棚の横面カバー及びその横面カバーを備えた飾り棚を提供することである。
【課題を解決するための手段】
【０００６】
上記目的を達成するために第１の発明がなした技術的手段は、磁性体が吸着可能な構造材で階段状に形成された飾り棚の横面を覆うカバーであって、そのカバーは、前記飾り棚の横面を覆う形状を有し、飾り棚の構造材に接する領域には磁性体を備えたことを特徴とする飾り棚の横面カバーとしたことである。
【０００７】
第２の発明がなした技術的手段は、磁性体が吸着可能な構造材で階段状に形成された飾り棚の横面を覆うカバーであって、そのカバーは、複数枚が接合されて、前記飾り棚の横面を覆う形状を有し、前記接合された接合線を被覆するポケット部を備えた
ことを特徴とする飾り棚の横面カバーとしたことである。
【０００８】
さらに、第３の発明がなした技術的手段は、前記第２の発明において、ポケット部は、透明な材質であることを特徴とする飾り棚の横面カバーとしたことである。
【０００９】
さらに、第４の発明がなした技術的手段は、前記第２の発明または第３の発明において、飾り棚の構造材に接する領域には磁性体を備えたことを特徴とする飾り棚の横面カバーとしたことである。
【００１０】
さらに、第５の発明がなした技術的手段は、前記第１の発明乃至第４の発明の飾り棚の横面カバーを左右の横面に備えたことを特徴とする飾り棚としたことである。
【００１１】
さらに、第６の発明がなした技術的手段は、前記第５の発明の飾り棚は雛壇であるとしたことである。
【発明の効果】
【００１２】
本発明によれば、横側や斜め手前側から眺めた場合であっても、飾り棚のフレームや内部空間が視認されることを防止した、飾り棚の横面カバー及びその横面カバーを備えた飾り棚を提供することができる。
【発明を実施するための最良の形態】
【００１３】
以下、本発明を実施するための最良の一実施形態について説明する。なお、本実施形態は、本発明の一実施形態にすぎず、本発明の範囲内で設計変更可能である。
なお、以下の各実施例では、一例として、雛人形や雛飾りを飾り付ける雛壇の横面を被覆する場合を説明するが、これに限らず、上面が階段状に形成された構造物であって、美観上、横側や斜め手前側から前記構造物のフレームや内部空間が視認されることが好ましくないものであれば、本発明を適用可能である。例えば、本発明は、商業施設やイベント会場等で商品や展示物が配置される飾り棚や、観客等を階段状に収容するベンチ等に対しても適用可能である。
以下、本発明による雛壇の横面カバー及びその横面カバーを備えた雛壇の一例を説明する。なお、以下の各実施例では横面カバーで雛壇の右横面を被覆する場合を説明するが、雛壇の左横面もまた、左右対称に形成した前記横面カバーによってカバーされるものである。
【実施例１】
【００１４】
本実施例１における雛壇の右横面を被覆する横面カバー６を図１に示す。
図１は、横面カバー６を表面からみた図であり、破線部分は、横面カバー６の裏面側に備えられている。
本実施例１による雛壇の横面カバー６は、雛壇１のフレーム２，３が、磁性体８が吸着可能な材質、例えばスチールで図１２のように製作されている場合において、その雛壇１の左右のフレーム２，３に吸着させて使用するものである。
【００１５】
横面カバー６は、シート体６ａと、該シート体６ａに固定されている磁性体８と、該磁性体８をシート体６ａに固定する裏当て７とで構成されている。
横面カバー６は、上記雛壇１の横面形状と略同一形状に形成されている。すなわち、シート体６ａは、長尺状の底辺１５と、該底辺１５よりも短尺状の上辺１６ａと、前記底辺１５と上辺１６ａの一端側同士を夫々直交状に結んでなる右辺１４と、前記底辺１５と上辺１６ａの他端側同士を階段状に複数の段差を持って結んでなる左辺１８とで囲まれた雛壇１の側面形状と略同一形状に形成する。前記左辺１８を構成している各段差は、縦辺１７と横辺１６とからなり、図中上方から下方に向けて１６ａ，１７ａ，１６ｂ，１７ｂ，１６ｃ，１７ｃ，１６ｄ，１７ｄ，１６ｅ，１７ｅ，１６ｆ，１７ｆ，１６ｇ，１７ｇの順に直交状に結ばれている。この縦辺１７および横辺１６は、飾り棚の構造材に接する領域である。
上記階段状に形成される縦辺１７と横辺１６のうち、横辺１６ｂ，１６ｃ，１６ｄ，１６ｅ，１６ｆと縦辺１７ａ，１７ｂ，１７ｃ，１７ｄ，１７ｅ，１７ｆそれぞれ同一長さに形成され、横辺１６ａ，１６ｇ及び縦辺１７ｇは上記同一長さに形成された各辺よりも長く形成されている。
【００１６】
なお、上記階段状に形成される上記横辺１６と縦辺１７の数、すなわち段数は、本実施例では７段に形成しているが、横面がカバーされる雛壇１の段数に合わせて適宜変更される。また、各辺１４，１５，１６ａ，１８の長さは、雛壇の横面領域（図８中１ａ，２ａ参照）の形状に合わせて決定されるものである。
【００１７】
前記シート体６ａの材質は、非透光性のシート体であって、本実施例１では、雛壇１の上面４を被覆する毛せん５と同様の材質を採用して雛壇全体の色調に統一感をもたせている。
なお、前記シート体６ａの材質は、本実施例１では、雛壇１の上面４を被覆する毛せん５と同様の材質を採用しているが、非透光性のシート体であって、シート体の表側から裏側を視認されないか、視認することが困難な材質であれば、他の材質であっても良く、例えばビニール樹脂のような材質であっても良い。また、材質の硬軟を問わず硬質の素材をシート状に形成したものであっても良く、さらには、シート体の表側から裏側を視認することが困難な程度に網目が細かいネットをシート状に形成しても良い。
【００１８】
磁性体８は、本実施例では円板状の丸磁石が採用されている。その磁性体８は、シート体６ａの階段状に形成された各横辺１６ａ，１６ｂ，１６ｃ，１６ｄ，１６ｅ，１６ｆ，１６ｇの縁部に沿って固定されている。本実施例１では、横辺１６ａの近傍には、その上辺１６ａに沿って３個の磁性体８（８ａ，８ｂ，８ｃ）が配され、上辺１６ｂの縁部には、その横辺１６ｂに沿って２個の磁性体８（８ｄ，８ｅ）が配され、横辺１６ｃの縁部には、その横辺１６ｃに沿って２個の磁性体８（８ｆ，８ｇ）が配され、横辺１６ｄの縁部には、その横辺１６ｄに沿って２個の磁性体８（８ｈ，８ｉ）が配され、横辺１６ｅの縁部には、その横辺１６ｅに沿って２個の磁性体８（８ｊ，８ｋ）が配され、横辺１６ｆの縁部には、その横辺１６ｆに沿って２個の磁性体８（８ｍ，８ｎ）が配され、横辺１６ｇの縁部には、その横辺１６ｇに沿って２個の磁性体８（８ｐ，８ｒ）がそれぞれ配されている。
【００１９】
なお、磁性体８は、本実施例１では、前記シート体６ａの裏側から裏当て７が当てられ、該裏当て７とシート体６ａを縫い合わせることにより、裏当て７とシート体６ａの裏面６ｂとの間に挟み込むようにして配設している。
その裏当て７は、前記横面カバー６の階段状に形成された各横辺１６と各縦辺１７に沿って階段形状をした帯状に形成されている。
本実施例１では、階段形状をした帯状に形成した裏当て７の一例を示したが、形成上の容易性、製作コストを考慮すると、各横辺１６に対応する短冊状の当て布７ａ部分と、各縦辺１７に対応する当て布７ｂ部分とを別個に形成し、夫々を縫い合わせるものとしても良い。
また、裏当て７の材質は、柔軟性を有し、シート体６ａと縫い合わせることができればどのような材質でも良いが、例えば、本実施例では、シート体６ａと同様の材質を採用する。
【００２０】
横面カバー６のシート体６ａと磁性体８の関係の詳細を図２及び図３に従って説明する。なお、図２は、横面カバー６の上辺１６ａおよび左辺の横辺１６ｂと左辺の縦辺１７ａで形成される段部を表面から見た拡大図であり、図３は、図２のＡ−Ａ線による断面図である。
図２に示すように、シート体６ａと裏当て７の縫い合わせは、帯状に形成された裏当て７の幅方向の両端辺に沿った縫い合わせに加えて、磁性体８の周面が四角状に取り囲まれるように縫い合わされている。例えば、磁性体８ｂは、縫い合わせ９ｃ，９ｄ，９ａ，９ｂで取り囲まれて固定され、磁性体８ｃは、縫い合わせ９ｃ，９ｄ，９ｅ，９ｆで取り囲まれて固定され、磁性体８ｄは、縫い合わせ９ｇ，９ｈ，９ｅ，９ｉで取り囲まれて固定されている。
【００２１】
図３に示すように、シート体の裏面（図中矢印Ｄ参照）側に配される磁性体８は、緊張状態に張ったシート体６ｃの裏面６ｂに磁性体８の表面（図中矢印Ｆ参照）を密着させて配されている。
裏当て７は、その磁性体８の裏面側（図中矢印Ｅ参照）を包み込むように配され、磁性体８の周辺でシート体６ａと縫い合わされている（符号９ａ，９ｂ参照）。
このように、裏当て７が磁性体８の裏面側（図中矢印Ｅ参照）を包み込むようしてシート体６ａと縫い合わせられることによって、シート体６ａに磁性体８を固定した場合であっても、シート体６ａの表面側（図中矢印Ｄ参照）は、磁性体８の形状に凸状部分ができることがなく、常に緊張状態に張っているので、美しい美観を維持することができることに加えて、磁性体８の裏面側（図中矢印Ｅ参照）が、シート体６ａの裏面側（図中矢印Ｄ参照）に突出して配されるので、磁性体８と雛壇１のフレーム２との密着性が良好に保たれる。
【００２２】
このように構成した横面カバー６を雛壇１の右横面のフレーム２（図１及び図２参照）に貼り付けた場合には、図４に示すように、雛壇１の右横面の全面がカバーされて、雛壇１の横側や斜め手前側から雛壇１を眺めた場合であっても、雛壇１のフレーム２や内部空間１ａが視認されることを防止することができる。
また、横面カバー６は、雛壇１の天板４の上面側に突出することも無いので、天板４に覆設した毛せん５に皺を作ることも無く、美しい美観を維持することができる。
【実施例２】
【００２３】
本実施例２による雛壇の横面カバー６を図５乃至図８に示す。なお、図５は、横面カバー６を表面からみた図であり、破線部分は、横面カバー６の裏面側に備えられている。図６は、図５の背面図であり、図７は、図５のＢ−Ｂ線断面図、図８は使用形態を示す斜視図である。
本実施例２による横面カバー６は、第１のシート体６１と第２のシート体６２と第３のシート体６３が縦方向に接合されて、雛壇の横面形状（図１２中２ａ，３ａ参照）を形成し、さらに、その第２のシート体６２には、その表側６２ｃを被覆し、上方に向けた開口部を備えた透明なシート体からなるポケット部１０を有するものである。
なお、横面カバー６の全体形状および磁性体８や裏当て７の形状および配置については、前記実施例１による雛壇１の横面カバー６と同様であるので、ここでは説明を割愛し、前記第１のシート体６１と第２のシート体６２と第３のシート体６３の形状及びそれらの接合構造と、前記第２のシート体６２の表側６２ｃを被覆するポケット部１０について説明する。
【００２４】
最上段に配される前記第１のシート体６１は、上記雛壇１の上側３段の横面形状と略同一形状に形成されている。すなわち、図６（図５の背面図）に示すように、長尺状の底辺６１ｂと、該底辺６１ｂよりも短尺状の上辺１６ａと、前記底辺６１ｂと上辺１６ａの一端側同士を夫々直交状に結んでなる右辺１４ａと、前記底辺６１ｂと上辺１６ａの他端側同士を階段状に複数の段差を持って結んでなる左辺１８ａとで囲まれて形成される。前記左辺１８ａを構成している各段差は、縦辺１７と横辺１６とからなり、図中上方から下方に向けて１６ａ，１７ａ，１６ｂ，１７ｂ，１６ｃ，１７ｃの順に直交状に結ばれている。また、下辺６１ｂは、横辺１６ｄよりも下方に延設されている。
【００２５】
最下段に配される前記第３のシート体６３は、上記雛壇１の下側２段の横面形状と略同一形状に形成されている。すなわち、図６（図５の背面図）に示すように、長尺状の底辺６３ｂと、該底辺６３ｂよりも短尺状の上辺６３ａと、前記底辺６３ｂと上辺６３ａの一端側同士を夫々直交状に結んでなる右辺１４ｃと、前記底辺６３ｂと上辺６３ａの他端側同士を階段状に複数の段差を持って結んでなる左辺１８ｃとで囲まれて形成される。前記左辺１８ｃを構成している各段差は、縦辺１７と横辺１６とからなり、図中上方から下方に向けて１６ｆ，１７ｆ，１６ｇ，１７ｇの順に直交状に結ばれている。また、上辺６３ａは、横辺１６ｆよりも上方に延設されている。
【００２６】
そして、前記第１のシート体６１と前記第３のシート体６３に上下方向に挟まれる前記第２のシート体６２は、上記雛壇１の中ほどの２段の横面形状と略同一形状に形成されている。すなわち、図６に示すように、長尺状の底辺６２ｂと、該底辺６２ｂよりも短尺状の上辺６２ａと、前記底辺６２ｂと上辺６２ａの一端側同士を夫々直交状に結んでなる右辺１４ｂと、前記底辺６２ｂと上辺６２ａの他端側同士を階段状に複数の段差を持って結んでなる左辺１８ｂとで囲まれて形成される。前記左辺１８ｂを構成している各段差は、縦辺１７と横辺１６とからなり、図中上方から下方に向けて１６ｄ，１７ｄ，１６ｅ，１７ｅの順に直交状に結ばれている。
【００２７】
そのポケット部１０は、その表面形状が前記第２のシート体６２の表側６２ｃの形状と同形状に形成された透明なシート体をもって構成されている。以下、ポケット部１０の具体的な実施の一形態を説明する。シート体の下辺１０ｃは、図７に示すように、前記第２のシート体６２の表側６２ｃの方向に１８０度折り返されている。その下辺１０ｃの外面側と、前記第２のシート体６２の下辺６２ｂの表面とが所定の重なり幅を持って重ね合わさり、その重なり面が接合されるとともに、前記シート体の上辺１０ａ以外の辺が前記第２のシート体６２の表面と接合されて、シート体は、上方に向けた開口１０ｅとなるポケット部１０が形成される。
このときには、ポケット部１０の上辺１０ａと前記第２のシート体６２の上辺６２ａとが同一の高さに配され、ポケット部１０の下端１０ｂと前記第２のシート体６２の下辺６２ｂとが同一の高さに配される。
【００２８】
このように構成された前記第１のシート体６１と第２のシート体６２と第３のシート体６３を上下方向に接合した場合には、図７に示すように、前記下方に延設された第１のシート体の下辺６１ｂの表面と前記第２のシート体の上辺６２ａの裏面とが所定の重なり幅を持って重なり合い、その重なり面が接合される。さらに、前記上方に延設された第３のシート体６３の上辺６３ａの表面と、前記第２のシート体の下辺６２ｂの裏面とが所定の重なり幅を持って重なり合い、その重なり面が接合されて、全体形状が、雛壇１の右横面のフレーム２（図１及び図２参照）の表面領域と同形に形成されたシート体６となる。
そして、そのシート体６を表面側からみた場合には、図５に示すように、前記第２のシート体６２の上辺６２ａと下辺６２ｂは、ポケット部１０の上辺１０ａと下端１０ｂと一体に視認され、あたかも、一枚に形成されたシート体６の中段にポケット部１０が付着されているようにみえる。
【００２９】
そして、ポケット部１０の袋状の内側１０ｄには、任意のカード等を挿入することができる。例えば、非透明のカード１３を挿入した場合には、前記非透明のカード１３によって、ポケット部１０の下辺１０ｃが覆われて、下辺１０ｃはシート体６の表面側から視認されなくなる。
さらに、前記カード１３は、その表面に、華やかな模様や縁起の良い絵をプリントしたり、節句で祝われる子供の氏名等を記したりしてもよく、そのような場合には、図８に示すように、雛壇１の横側が前記模様・絵・氏名等で飾られることとなり、雛壇１がより華やかになる。
【００３０】
なお、本実施例２では、前記ポケット部１０を透明のシート体としているが、これに限らず、前記ポケット部１０は非透明のシート体であっても良い。その場合には、カバー体１０は、前記第２のシート体６２の表面形状と同形のシート状に形成されて、前記第２のシート体６２の表側６２ｃに袋状に固定される限りにおいて、材質の硬軟を問わず広く選択することが可能であって、例えば布やビニール樹脂やゴム樹脂で形成されていても良い。また、その表面に模様・絵・氏名等が直接付加されているものであっても良く、或いは、織り模様を有する布で形成されているものであっても良い。
【００３１】
なお、本実施例２では、ポケット部１０の上辺１０ａと前記第２のシート体６２の上辺６２ａとが同一の高さに配され、ポケット部１０の下端１０ｂと前記第２のシート体６２の下辺６２ｂとが同一の高さに配されているが、この限りでなく、ポケット部１０の上辺１０ａが、前記第２のシート体６２の上辺６２ａよりも高い位置に配され、ポケット部１０の下端１０ｂが、前記第２のシート体６２の下辺６２ｂよりも低い位置に配されていても良い。この場合には、シート体６の表面からみた場合に、前記第２のシート体６２の上辺６２ａと下辺６２ｂは、ポケット部１０の上辺１０ａと下端１０ｂに隠されて、一枚に形成されたシート体６の中段にポケット部１０が付着されているようにみえる視覚的効果が一層顕著となる。
【００３２】
また、本実施例２では、シート体６の各横辺１６ａ，１６ｂ，１６ｃ，１６ｄ，１６ｅ，１６ｆ，１６ｇの各縁部に沿って、それぞれ磁性体８が固定されているものとしているが、シート体６を前記磁性体８を持たない構成としても良い。その場合には、雛壇１のフレーム２とシート体６とは、他の固定手段によって固定される。例えばスナップ式の固定手段で固定されるものであっても良い。
【００３３】
さらに、前記各実施例では、雛壇１のフレームが、磁性体が吸着可能な材質、例えばスチールで製作されている場合を想定しているが、この限りでなく、フレームの少なくともシート体６の磁性体８が当る部分に磁性体が吸着可能な材質で構成されていれば、本発明が適用可能となる。例えば木製のフレームの該当箇所にスチール製のプレートが固定されているものであっても良い。
【００３４】
またさらに、前記各実施例では、シート体６の各横辺１６ａ，１６ｂ，１６ｃ，１６ｄ，１６ｅ，１６ｆ，１６ｇの縁部に沿って固定される磁性体８は、板状の丸磁石としているが、磁性体の形状は、前記雛壇１のフレーム２に吸着可能であって、シート体６の各横辺の縁部に沿って固定可能であれば他の形状であっても良い。例えばシート状の磁性体や棒状の磁性体であっても良い。
（変形例１）
【００３５】
実施例２では、横面カバー６は、第１のシート体６１と第２のシート体６２と第３のシート体６３によって、縦方向に３段に分割されているが、横面カバー６の分割数はこの限りでなく、本発明の範囲内で任意に変更可能である。
例えば、横面カバー６を第１のシート体と第２のシート体と第３のシート体および第４のシート体によって、縦方向に４段に分割しても良い。
この場合であっても、最上段に配される第１のシート体と最下段に配される第４のシート体によって上下方向に挟まれる第２のシート体および第３のシート体の表側には、第２のシート体と第３のシート体を接合した形状と同形に形成した透明なシート体からなるポケット部１０が配される。
【００３６】
このように構成することによって、横面カバー６を表面側からみた場合には、前記各シート体の接合線が、ポケット部１０の上辺１０ａと下端１０ｂの間に隠されて、あたかも、一枚に形成されたシート体６の中段にポケット部１０が付着されているようにみえる。
その他の構成および効果は、前記実施例２と同様であるので説明を割愛する。
（変形例２）
【００３７】
本変形例２による横面カバー６は、図９に示すように、横面カバー６が、第１のシート体６１と第２のシート体６２と第３のシート体６３によって横方向に分割されている点において実施例２と相違する。
【００３８】
図９は、横面カバー６を表面からみた図であり、破線部分は、横面カバー６の裏面側に備えられている。図１０は使用形態を示す斜視図である。
本変形例２による横面カバー６は、第１のシート体６１と第２のシート体６２と第３のシート体６３が横方向に接合されて、雛壇の横面形状（図１２中２ａ，３ａ参照）を形成し、さらに、その第２のシート体６２には、その表側６２ｃを被覆し、上方に向けた開口部を備えた透明なシート体からなるポケット部１０を有するものである。
なお、横面カバー６の全体形状および磁性体８や裏当て７の形状および配置については、前記実施例１による雛壇１の横面カバー６と同様であり、各シート体の接合構造については、右辺および左辺が接合することとなるほかは、上記実施例２による各シート体の接合構造と同様であるので、ここでは説明を割愛し、前記第１のシート体６１と第２のシート体６２と第３のシート体６３の形状と、前記第２のシート体６２の表側６２ｃを被覆するポケット部１０について説明する。
【００３９】
最も右側に配される前記第１のシート体６１は、上記雛壇１の上側２段の横面形状と略同一形状に形成されている。すなわち、図９に示すように、長尺状の底辺６１ｂと、該底辺６１ｂよりも短尺状の上辺１６ａと、前記底辺６１ｂと上辺１６ａの一端側同士を夫々直交状に結んでなる右辺１４ａと、前記底辺６１ｂと上辺１６ａの他端側同士を階段状に複数の段差を持って結んでなる左辺１８ａとで囲まれて形成される。前記左辺１８ａを構成している各段差は、縦辺１７と横辺１６とからなり、図中上方から下方に向けて１６ａ，１７ａ，１６ｂ，１７ｂの順に直交状に結ばれている。
【００４０】
最も左側に配される前記第３のシート体６３は、上記雛壇１の下側２段の横面形状と略同一形状に形成されている。すなわち、図９に示すように、長尺状の底辺６３ｂと、該底辺６３ｂよりも短尺状の上辺１６ｆと、前記底辺６３ｂと上辺１６ｆの一端側同士を夫々直交状に結んでなる右辺１４ｃと、前記底辺６３ｂと上辺１６ｆの他端側同士を階段状に複数の段差を持って結んでなる左辺１８ｃとで囲まれて形成される。前記左辺１８ｃを構成している各段差は、縦辺１７と横辺１６とからなり、図中上方から下方に向けて１６ｆ，１７ｆ，１６ｇ，１７ｇの順に直交状に結ばれている。
【００４１】
そして、前記第１のシート体６１と前記第３のシート体６３に左右方向に挟まれる前記第２のシート体６２は、上記雛壇１の中ほどの３段の横面形状と略同一形状に形成されている。すなわち、図９に示すように、長尺状の底辺６２ｂと、該底辺６２ｂよりも短尺状の上辺１６ｃと、前記底辺６２ｂと上辺１６ｃの一端側同士を夫々直交状に結んでなる右辺１４ｂと、前記底辺６２ｂと上辺１６ｃの他端側同士を階段状に複数の段差を持って結んでなる左辺１８ｂとで囲まれて形成される。前記左辺１８ｂを構成している各段差は、縦辺１７と横辺１６とからなり、図中上方から下方に向けて１６ｃ，１７ｃ，１６ｄ，１７ｄ，１６ｅ，１７ｅの順に直交状に結ばれている。
【００４２】
そのポケット部１０は、その表面形状が前記第２のシート体６２の表側６２ｃの形状と同形状に形成された透明なシート体をもって上方に向けた開口として構成されている。なお、ポケット部１０の具体的な構成は、上記実施例２で説明した構成と同様であるので説明を割愛する。
このときには、ポケット部１０の右辺１０ａは、前記第１のシート体６１と前記第２のシート体６２の接合線に重なるように配され、ポケット部１０の左辺１０ａは、前記第２のシート体６２と前記第３のシート体６３の接合線に重なるように配される。
【００４３】
このように構成することによって、横面カバー６を表面側からみた場合には、図１０に示すように、前記各シート体の接合線が、ポケット部１０の右辺１０ａと左辺１０ｂの間に隠されて、あたかも、一枚に形成されたシート体６の中ほどにポケット部１０が付着されているようにみえる。
その他の構成および効果は、前記実施例２と同様であるので説明を割愛する。
【実施例３】
【００４４】
本実施例３による雛壇の横面カバー６の使用形態を図１１に示す。
本実施例３による横面カバー６は、雛壇１の右横面２ａをカバーする第１のシート体６０１と、雛壇１の左側面３ａをカバーする第２のシート体６０２とが毛せん５で接合されて、一体となっているものである。なお、雛壇１の背面側をカバーする第３のカバー体（図示省略）を接合してもよく、また毛せん５をひな壇１の背面側に延ばして第１のシート体６０１及び第２のシート体６０２と夫々接合して一体化させるものとしてもよい。
なお、雛壇１の右横面２ａをカバーする第１のシート体６０１の全体形状については、前記実施例１による雛壇１の横面カバー６と同様であるので、ここでは説明を割愛する。
さらに、雛壇１の左横面３ａをカバーする第２のシート体６０２の全体形状については、前記第１のシート体６０１と左右対称の形状に形成されるものである。
【００４５】
そして、毛せん５の一方の縁部５ａは、前記第１のシート体６０１の左辺１８を構成している階段状に連続する各辺１６ａ，１７ａ，１６ｂ，１７ｂ，１６ｃ，１７ｃ，１６ｄ，１７ｄ，１６ｅ，１７ｅ，１６ｆ，１７ｆ，１６ｇ，１７ｇと接合される。
さらに、その毛せん５の他方の縁部５ｂは、前記第２のシート体６０２の前記第１のシート体と同様に、左辺１８を構成している階段状に連続する各辺（符号省略）と接合されて、横面カバー６は、底辺１５側が開放した袋状の形状となる。
【００４６】
このように形成した横面カバー６は、シート体６０１の全体形状が、雛壇の横面領域（図１中符号２ａ参照）の形状に合わせて決定されているので、雛壇１のフレームの形状と同形状となる。
横面カバー６の使用形態を図１１に示す。
横面カバー６その底辺１５側から雛壇１の全体に被せると、雛壇１の左右横面の全面および上面がカバーされて、雛壇１の横側や斜め手前側から雛壇１を眺めた場合であっても、雛壇１のフレーム２や内部空間１ａが視認されることを防止することができる。
また、毛せん５が雛壇の横面領域から飛び出すこともないので、雛壇１を非常にすっきりとした美しい美観に維持することができる。
【図面の簡単な説明】
【００４７】
【図１】本発明の実施例１によるシート体を示す正面図。
【図２】図１の一部拡大図。
【図３】図２のＡ−Ａ線による断面図。
【図４】本発明の実施例１によるシート体を適用した雛壇の斜視図。
【図５】本発明の実施例２によるシート体を示す正面図。
【図６】本発明の実施例２によるシート体の背面図。
【図７】図５のＢ−Ｂ線による断面図。
【図８】本発明の実施例２によるシート体を適用した雛壇の斜視図。
【図９】本発明の実施例２の変形例２によるシート体を示す正面図。
【図１０】本発明の実施例２の変形例２によるシート体を適用した雛壇の斜視図。
【図１１】本発明の実施例３によるシート体を適用した雛壇の斜視図。
【図１２】雛壇のフレームの斜視図。
【図１３】雛壇のフレームに毛せんを掛けた状態を示す斜視図。
【符号の説明】
【００４８】
１  雛壇
６  シート体
８  磁性体
【図１】
2007125114.tif 000003
【図２】
2007125114.tif 000004
【図３】
2007125114.tif 000005
【図４】
2007125114.tif 000006
【図５】
2007125114.tif 000007
【図６】
2007125114.tif 000008
【図７】
2007125114.tif 000009
【図８】
2007125114.tif 000010
【図９】
2007125114.tif 000011
【図１０】
2007125114.tif 000012
【図１１】
2007125114.tif 000013
【図１２】
2007125114.tif 000014
【図１３】
2007125114.tif 000015